(57)【要約】【課題】複層ガラスに内蔵された電動ブラインドを提供すること。【解決手段】本電動ブラインドは、制御部と；上下左右側フレームで構成され、制御部が内蔵される外部フレームと；上下左右側フレームで構成され、外側面が外部フレームの内側面に密着され、ガラスが前後面に設置されてガラスとの間に閉空間を形成する内部フレームと；閉空間に内蔵され、上下方向に複数枚が配置され、昇降調節ワイヤーによって昇降すると共に、内部フレームに内蔵される水平回転棒に巻回された角度調節ワイヤーによって角度調節されるスラットと；内部フレームの左側フレームに内蔵され、昇降調節ワイヤーと連結される第１昇降調節手段と；第１昇降調節手段と磁力によって連結され、制御部の信号によって昇降して第１昇降調節手段を昇降させる第２昇降調節手段と；内部フレームの右側フレームに内蔵され、水平回転棒と連結される第１角度調節手段と；第１角度調節手段と磁力によって連結され、制御部の信号によって昇降して水平回転棒を回転させながらスラットの角度を調節する第２角度調節手段と；を含んで構成され、内部フレームとガラスとの間に形成された閉空間に外部の湿気や空気が侵入するのを完壁に防止できるから、内部フレームの前後面に設置されたガラス面に結露のように視野を妨げるような物質が形成されることを防止することができる。また、外部フレームの左右側フレームの上面は、開閉可能に構成され、内部の構成要素に故障が生じた時にそれを便利に修理することができる。【選択図】図２
2010529339.tif 000002
【特許請求の範囲】
【請求項１】
制御部（１０）と、
上下左右側フレーム（２１，２２，２３，２４）で構成され、制御部（１０）が内蔵される外部フレーム（２０）と、
上下左右側フレーム（３１，３２，３３，３４）で構成され、外側面が外部フレーム（２０）の内側面に密着され、ガラス（４０）が前後面に設置されて、そのガラス（４０）との間に閉空間（Ｓ）を形成する内部フレーム（３０）と、
閉空間（Ｓ）に内蔵され、上下方向に複数枚が配置され、昇降調節ワイヤー（４１）によって昇降すると共に、内部フレーム（３０）に内蔵される水平回転棒（５１）に巻回された角度調節ワイヤー（４２）によって角度調節されるスラット（５０）と、
内部フレーム（３０）の左側フレーム（３３）に内蔵され、昇降調節ワイヤー（４１）と連結される第１昇降調節手段（６０）と、
第１昇降調節手段（６０）と磁力によって連結され、制御部（１０）の信号によって昇降して第１昇降調節手段（６０）を昇降させる第２昇降調節手段（７０）と、
内部フレーム（３０）の右側フレーム（３４）に内蔵され、水平回転棒（５１）と連結される第１角度調節手段（８０）と、
第１角度調節手段（８０）と磁力によって連結され、制御部（１０）の信号によって昇降して水平回転棒（５１）を回転させながらスラット（５０）の角度を調節する第２角度調節手段（９０）と、を備える
ことを特徴とする複層ガラスに内蔵された電動ブラインド。
【請求項２】
第１昇降調節手段（６０）が、
内部フレーム（３０）の前面に設置されたガラス（４０）に臨んで磁石（６１ａ）の配置された第１昇降磁性体（６１）と、第１昇降磁性体（６１）の上側に設けられ、昇降調節ワイヤー（４１）が巻かれて回転するローラ（６２ａ）が取り付けられた昇降ボディー（６２）と、昇降調節ワイヤー（４１）の先端が固定されるワイヤー固定爪（６３）と、で構成され、
第２昇降調節手段（７０）が、
外部フレーム（２０）の左側フレーム（２３）の内部に上下方向に設置されたスクリューシャフト（７１）と、スクリューシャフト（７１）の下端に設置され、制御部（１０）の信号によって正逆回転する昇降モーター（７２）と、スクリューシャフト（７１）の外周面を取り囲むように設けられ、昇降モーター（７２）の正逆回転によってスクリューシャフト７１の外周面上を昇降する昇降ナット（７３）と、昇降ナット（７３）の外側面から内部フレーム（３０）の左側フレーム（３３）の方に延設された連結部（７４）と、連結部（７４）と連結され、内部フレーム（３０）の前面に設置されたガラス（４０）の上面で昇降しながら第１昇降磁性体（６１）を磁力によって昇降させる第２昇降磁性体（７５）と、で構成される
請求項１に記載の複層ガラスに内蔵された電動ブラインド。
【請求項３】
第１角度調節手段（８０）が、
水平回転棒（５１）と連結された垂直回転棒（８１）と、垂直回転棒（８１）の外周面の一側を包み、垂直回転棒（８１）と同一に回転し、外周面にガイド溝（８２ａ）が形成された回転ドラム（８２）と、内部フレーム（３０）の右側フレーム（３４）の内部に設けられ、垂直回転棒（８１）が挿通し、回転ドラム（８２）の上端と下端にそれぞれ設けられて回転ドラム（８２）の位置を固定する上下部固定爪（８３，８４）と、回転ドラム（８２）の外周面に取り付けられ、内部フレーム（３０）の前面に設置されたガラス（４０）に臨んで磁石（８５a）が配置され、回転ドラム（８２）のガイド溝（８２ａ）に沿って移動する突起（図示せず）が内部に形成されて回転ドラム（８２）の外周面で昇降する第１角度調節磁性体（８５）と、で構成され、
第２角度調節手段（９０）が、
外部フレーム（２０）の右側フレーム（２４）の内部に設けられたスクリューシャフト（９１）と、スクリューシャフト（９１）の下端に設置され、制御部（１０）の信号によって正逆回転する角度調節モーター（９２）と、スクリューシャフト（９１）の外周面を取り囲むように設けられ、角度調節モーター（９２）の正逆回転によってスクリューシャフト（９１）の外周面上を昇降する角度調節ナット（９３）と、角度調節ナット（９３）の外側面から内部フレーム（３０）の右側フレーム（２４）の方に延設された連結部（９４）と、連結部（９４）と連結され、内部フレーム（３０）の前面に設置されたガラス（４０）の上面で昇降しながら第１角度調節磁性体（８５）を磁力によって昇降させる第２角度調節磁性体（９５）と、で構成される
請求項２に記載の複層ガラスに内蔵された電動ブラインド。
【請求項４】
制御部（１０）と、
上下左右側フレーム（２１，２２，２３，２４）で構成され、制御部（１０）が内蔵される外部フレーム（２０）と、
上下左右側フレーム（３１，３２，３３，３４）で構成され、外側面が外部フレーム（２０）の内側面に密着され、ガラス（４０）が前後面に設置されてガラス（４０）との間に閉空間（Ｓ）を形成する内部フレーム（３０）と、
閉空間（Ｓ）に内蔵され、上下方向に複数枚が配置され、昇降調節ワイヤー（４１）によって昇降すると共に、内部フレーム（３０）に内蔵される水平回転棒（５１）に巻回された角度調節ワイヤー（４２）によって角度調節されるスラット（５０）と、
内部フレーム（３０）の左側フレーム（３３）に内蔵され、昇降調節ワイヤー（４１）と連結される第１昇降調節手段（６０）と、
外部フレーム（２０）の左側フレーム（２３）に内蔵され、制御部（１０）の信号によって昇降する第２昇降調節手段（７０）と、
外部フレーム（２０）の左側フレーム（２３）の上面と、内部フレーム（３０）の前面に設置されたガラス（４０）の上面とにわたって配置され、第１昇降調節手段（６０）及び第２昇降調節手段（７０）と磁力によって連結されて第２昇降調節手段（７０）の昇降力を第１昇降調節手段（６０）に伝達することによって第１昇降調節手段（６０）を昇降させる第３昇降調節手段（１００）と、
内部フレーム（３０）の右側フレーム（３４）に内蔵され、水平回転棒（５１）と連結される第１角度調節手段（８０）と、
外部フレーム（２０）の右側フレーム（２４）に内蔵され、制御部（１０）の信号によって昇降する第２角度調節手段（９０）と、
外部フレーム（２０）の右側フレーム（２４）の上面と、内部フレーム（３０）の前面に設置されたガラス（４０）の上面にわたって配置され、第１角度調節手段（８０）及び第２角度調節手段（９０）と磁力によって連結されて第２角度調節手段（９０）の昇降力を第１角度調節手段（８０）に伝達することによって水平回転棒（５１）を回転させながらスラット（５０）の角度を調節する第３角度調節手段（１１０）と、を備える
ことを特徴とする複層ガラスに内蔵された電動ブラインド。
【請求項５】
第１昇降調節手段（６０）が、
内部フレーム（３０）の前面に設置されたガラス（４０）に臨んで磁石（６１ａ）が配置された第１昇降磁性体（６１）と、第１昇降磁性体（６１）の上側に設けられ、昇降調節ワイヤー（４１）が巻かれて回転するローラ（６２ａ）が取り付けられた昇降ボディー（６２）と、昇降調節ワイヤー（４１）の先端が固定されるワイヤー固定爪（６３）と、で構成され、
第２昇降調節手段（７０）が、
外部フレーム（２０）の左側フレーム（２３）の内部に上下方向に設置されたスクリューシャフト（７１）と、スクリューシャフト（７１）の下端に設置され、制御部（１０）の信号によって正逆回転する昇降モーター（７２）と、スクリューシャフト（７１）の外周面を取り囲むように設けられ、昇降モーター（７２）の正逆回転によってスクリューシャフト（７１）の外周面上を昇降する昇降ナット（７３）と、昇降ナット（７３）と一体として形成され、内部フレーム（３０）の左側フレーム（３３）の底面で昇降する第２昇降磁性体（７５）と、で構成され、
第３昇降調節手段（１００）が、
第１昇降磁性体（６１）及び第２昇降磁性体（７５）と磁力で連結されるように、磁石（１００ａ）が外部フレーム（２０）の左側フレーム（２３）の上面と内部フレーム（３０）の上面に設置されたガラス（４０）の上面に臨んで配置される
請求項４に記載の複層ガラスに内蔵された電動ブラインド。
【請求項６】
第１角度調節手段（８０）が、
水平回転棒（５１）と連結された垂直回転棒（８１）と、垂直回転棒（８１）の外周面の一側を包み、垂直回転棒（８１）と同一に回転し、外周面にガイド溝（８２ａ）が形成された回転ドラム（８２）と、内部フレーム（３０）の右側フレーム（３４）の内部に設けられ、垂直回転棒（８１）が挿通し、回転ドラム（８２）の上端と下端にそれぞれ設けられて回転ドラム（８２）の位置を固定する上下部固定爪（８３，８４）と、回転ドラム（８２）の外周面に取り付けられ、内部フレーム（３０）の前面に設置されたガラス（４０）に臨んで磁石（８５ａ）が配置され、回転ドラム（８２）のガイド溝（８２ａ）に沿って移動する突起（図示せず）が内部に形成されて回転ドラム（８２）の外周面で昇降する第１角度調節磁性体（８５）と、で構成され、
第２角度調節手段（９０）が、
外部フレーム（２０）の右側フレーム（２４）の内部に設けられたスクリューシャフト（９１）と、スクリューシャフト（９１）の下端に設置され、制御部（１０）の信号によって正逆回転する角度調節モーター（９２）と、スクリューシャフト（９１）の外周面を取り囲むように設けられ、角度調節モーター（９２）の正逆回転によってスクリューシャフト（９１）の外周面上を昇降する角度調節ナット（９３）と、角度調節ナット（９３）と一体として形成されて内部フレーム（３０）の右側フレーム（３４）の底面で昇降する第２角度調節磁性体（９５）と、で構成され、
第３角度調節手段（１１０）が、
第１角度調節磁性体（８５）及び第２角度調節磁性体（９５）と磁力で連結されるように、磁石（１１０ａ）が外部フレーム（２０）の右側フレーム（２４）の上面と、内部フレーム（３０）の上面に設置されたガラス（４０）の上面に臨んで配置される
請求項５に記載の複層ガラスに内蔵された電動ブラインド。
【請求項７】
外部フレーム（２０）の左側フレーム（２３）の内部に、昇降ナット（７３）の上限点と下限点を感知する上限センサー（２３−１）と下限センサー（２３−２）がそれぞれ設けられる
請求項２または５に記載の複層ガラスに内蔵された電動ブラインド。
【請求項８】
外部フレーム（２０）の右側フレーム（２４）の内部に、角度調節ナット（９３）の上限点と下限点を感知する上限センサー（２４−１）と下限センサー（２４−２）が設けられる
請求項３または６に記載の複層ガラスに内蔵された電動ブラインド。
【請求項９】
水平回転棒（５１）の右側先端と垂直回転棒（８１）の上端に、互いに噛み合って回転するベベルギア（５１ａ，８１ａ）がそれぞれ形成され、垂直回転棒（８１）の回転力が水平回転棒（５１）に伝達される
請求項３または６に記載の複層ガラスに内蔵された電動ブラインド。
【請求項１０】
外部フレーム（２０）の左側フレーム（２３）が、上面が開閉可能に構成され、一側面にレール（２３ａ）が形成され、第２昇降調節手段（７０）の連結部（７４）がレール（２３ａ）に沿って昇降する
請求項２に記載の複層ガラスに内蔵された電動ブラインド。
【請求項１１】
外部フレーム（２０）の右側フレーム（２４）が、上面が開閉可能に構成され、一側面にレール（２４ａ）が形成され、第２角度調節手段（９０）の連結部（９４）がレール（２４ａ）に沿って昇降する
請求項３に記載の複層ガラスに内蔵された電動ブラインド。
【請求項１２】
外部フレーム（２０）の左側フレーム（２３）と右側フレーム（２４）が、それぞれ上面が開閉可能に構成される
請求項６に記載の複層ガラスに内蔵された電動ブラインド。
【発明の詳細な説明】
【技術分野】
【０００１】
本発明は、電動ブラインドに関し、特に、複層ガラスの間に内蔵され、リモコンのような手段を使って自動でブラインドを操作できる他、複層ガラスの間への外部湿気や空気の流入を遮断できる複層ガラスに内蔵された電動ブラインドに関する。
【背景技術】
【０００２】
一般に、ブラインド装置は、窓に設置され、太陽の光を遮蔽したり、日光量を調節したりして室内の雰囲気を調整することができ、特に、夏のように強い太陽の光が降り注ぐ季節には、直射光線による室内温度の上昇を防止することができ、さらには外部から室内が見えないようにし、プライバシー保護も図られる装置のことをいう。
【０００３】
このようなブラインド装置は、日光遮蔽部材であるスラットを制御する方式によって手動形と自動形とに分類される。
手動形ブラインドは、使用者が直接ワイヤーを引っ張って、スラットの昇降及び角度を制御するものであり、自動形ブラインドは、電動モーターなどによりスラットの昇降及び角度を制御することによって採光量などを調節するものである。
【０００４】
最近では、窓の複層ガラスの内部に電動ブラインドを設置した建築物を多く見ることができる。
【０００５】
このように複層ガラスの内部にブラインドを設置すると、一般的に窓の前方に設置されるバーチカルブラインド分だけの内部空間を確保できる他、ブラインドを構成するスラットにホコリなどが積もらず、常に清潔に維持することができる。
【発明の概要】
【発明が解決しようとする課題】
【０００６】
しかし、従来の複層ガラスに内蔵された電動ブラインドは、複層ガラスの間に外部の湿気や空気が浸入するとガラス表面が曇り、使用者の視野を妨げる問題の他、浸入した湿気により電動ブラインドが故障する問題点もあった。なお、このように電動ブラインドが故障すると窓全体を取り外して修理しなければならず、修理過程が複雑な問題点もあった。
【０００７】
本発明は、上記の従来技術の問題点を解決するためのもので、その目的は、複層ガラスの内部に湿気や空気が浸入するのを遮断でき、リモコンのような手段を用いて自動でブラインドの昇降と角度を調節できる、複層ガラスに内蔵された電動ブラインドを提供することにある。
【課題を解決するための手段】
【０００８】
上記の課題を解決するため、本発明の複層ガラスに内蔵された電動ブラインドは、制御部と；上下左右側フレームで構成され、制御部が内蔵される外部フレームと；上下左右側フレームで構成され、外側面が外部フレームの内側面に密着され、ガラスが前後面に設置されてガラスとの間に閉空間を形成する内部フレームと；閉空間に内蔵され、上下方向に複数枚が配置され、昇降調節ワイヤーによって昇降すると共に、内部フレームに内蔵される水平回転棒に巻回された角度調節ワイヤーによって角度調節されるスラットと；内部フレームの左側フレームに内蔵され、昇降調節ワイヤーと連結される第１昇降調節手段と；第１昇降調節手段と磁力によって連結され、制御部の信号によって昇降して第１昇降調節手段を昇降させる第２昇降調節手段と；内部フレームの右側フレームに内蔵され、水平回転棒と連結される第１角度調節手段と；第１角度調節手段と磁力によって連結され、制御部の信号によって昇降して水平回転棒を回転させながらスラットの角度を調節する第２角度調節手段と；を含んで構成する。
【０００９】
また、本発明の他の複層ガラスに内蔵された電動ブラインドは、制御部と；上下左右側フレームで構成され、制御部が内蔵される外部フレームと；上下左右側フレームで構成され、外側面が外部フレームの内側面に密着され、ガラスが前後面に設置されてガラスとの間に閉空間を形成する内部フレームと；閉空間に内蔵され、上下方向に複数枚が配置され、昇降調節ワイヤーによって昇降すると共に、内部フレームに内蔵される水平回転棒に巻回された角度調節ワイヤーによって角度調節されるスラットと；内部フレームの左側フレームに内蔵され、昇降調節ワイヤーと連結される第１昇降調節手段と；外部フレームの左側フレームに内蔵され、制御部の信号によって昇降する第２昇降調節手段と、外部フレームの左側フレームの上面と、内部フレームの前面に設置されたガラスの上面とにわたって配置され、第１昇降調節手段及び第２昇降調節手段と磁力によって連結されて第２昇降調節手段の昇降力を第１昇降調節手段に伝達することによって第１昇降調節手段を昇降させる第３昇降調節手段と；内部フレームの右側フレームに内蔵され、水平回転棒と連結される第１角度調節手段と；外部フレームの右側フレームに内蔵され、制御部の信号によって昇降する第２角度調節手段と；外部フレームの右側フレームの上面と、内部フレームの前面に設置されたガラスの上面にわたって配置され、第１角度調節手段及び第２角度調節手段と磁力によって連結されて第２角度調節手段の昇降力を第１角度調節手段に伝達することによって水平回転棒を回転させながらスラットの角度を調節する第３角度調節手段と；を含んで構成する。
【発明の効果】
【００１０】
本発明による複層ガラスに内蔵された電動ブラインドは、内部フレームとガラスとの間に形成された閉空間に外部の湿気や空気が侵入するのを完壁に遮断できるので、内部フレームの前後面に設置されたガラスの表面に結露のような視野を妨げる物質が形成されることを防止することができる。
【図面の簡単な説明】
【００１１】
【図１】本発明の一実施例による複層ガラスに内蔵された電動ブラインドを一側方から見た斜視図
【図２】本発明の一実施例による複層ガラスに内蔵された電動ブラインドを他側方から見た斜視図
【図３】図１及び図２に示す電動ブラインドの第２昇降調節手段を示す図
【図４】図１及び図２に示す電動ブラインドの第１昇降調節手段を示す図
【図５】図１及び図２に示す電動ブラインドの第１角度調節手段及び第２角度調節手段を示す図
【図６】図１及び図２に示す電動ブラインドの水平回転棒及び垂直回転棒を示す図
【図７】図１及び図２に示す電動ブラインドの側面断面図
【図８】本発明の別実施例による複層ガラスに内蔵された電動ブラインドの斜視図
【図９】図８に示す電動ブラインドの正面断面図
【図１０】図８に示す電動ブラインドの平面断面図
【発明を実施するための形態】
【００１２】
以下、本発明の好適な実施例による複層ガラスに内蔵された電動ブラインドを、添付の図面を参照しつつ詳細に説明する。
【００１３】
図１は、本発明の一実施例による複層ガラスに内蔵された電動ブラインドの一側方から見た斜視図であり、図２は、本発明の一実施例による複層ガラスに内蔵された電動ブラインドの他側方から見た斜視図であり、図３は、図１及び図２に示す電動ブラインドの第２昇降調節手段を示す図である。
【００１４】
また、図４は、図１及び図２に示す電動ブラインドの第１昇降調節手段を示す図であり、図５は、図１及び図２に示す電動ブラインドの第１角度調節手段及び第２角度調節手段を示す図であり、図６は、図１及び図２に示す電動ブラインドの水平回転棒及び垂直回転棒を示す図であり、図７は、図１及び図２に示す電動ブラインドの側面断面図である。
【００１５】
本発明による複層ガラスに内蔵された電動ブラインドは、リモコンのような遠隔制御手段から信号を受ける制御部１０と、制御部１０が設けられる外部フレーム２０と、外部フレーム２０に内接するように設けられ、前後面にガラス４０が設置されてガラス４０との間に閉空間Ｓを形成する内部フレーム３０と、閉空間Ｓに内蔵され、昇降調節ワイヤー４１及び角度調節ワイヤー４２によって昇降及び角度調節される複数枚のスラット５０と、内部フレーム３０に内蔵され、昇降調節ワイヤー４１と連結される第１昇降調節手段６０と、第１昇降調節手段６０と磁力によって連結され、制御部１０の信号によって昇降して第１昇降調節手段６０を昇降させる第２昇降調節手段７０と、内部フレーム３０に内蔵され、水平回転棒５１と連結される第１角度調節手段８０と、第１角度調節手段８０と磁力によって連結され、制御部１０の信号によって昇降して水平回転棒５１を回転させながらスラット５０の角度を調節する第２角度調節手段９０とを含んで構成される。
【００１６】
外部フレーム２０は、四角枠の形態で構成されるもので、中空の内部を有する上下側フレーム２１，２２と左右側フレーム２３，２４がそれぞれ互いに連結されて上下左右を構成する。このように構成される外部フレーム２０の左側フレーム２３の下端に制御部１０が内蔵される。
そして、外部フレーム２０の左側フレーム２３は、上面が開閉可能に構成されており、制御部１０と第２昇降調節手段７０に故障が発生した時、左側フレーム２３の上面を開き、修理の後に元の状態に復帰させるといいので、故障修理のために窓全体を脱去する従来に比べて、修理のための作業便宜性を向上させることができる。外部フレーム２０のうち、左側フレーム２３の一側面についてより詳細に説明すると、内部フレーム３０に隣接する左側フレーム２３の一側面にはレール２３ａが形成され、後述する第２昇降調節手段７０の連結部７４がこのレール２３ａに沿って昇降する。
【００１７】
また、外部フレーム２０の右側フレーム２４も、上面が開閉可能に構成されており、第２角度調節手段９０に故障が発生した時、右側フレーム２４の上面を開き、修理の後に元の状態に復帰させればいい。外部フレーム２０のうち、右側フレーム２４の一側面をより詳細に説明すると、内部フレーム３０に隣接する右側フレーム２４の一側面には、外部フレーム２０の左側フレーム２３と同様に、レール２４ａが形成され、後述する第２角度調節手段９０の連結部９４がこのレール２４ａに沿って昇降する。
【００１８】
内部フレーム３０も同様、四角枠の形態で構成されるもので、中空の内部を有する上下側フレーム３１，３２と左右側フレーム３３，３４がそれぞれ互いに連結されて上下左右を構成し、それぞれの上下左右側フレーム３１，３２，３３，３４は、その外側面が外部フレーム２０の上下左右側フレーム２１，２２，２３，２４の内側面に密着されると共に、その前後面にはガラス４０が設置され、ガラス４０との間に閉空間Ｓを形成する。
【００１９】
一方、内部フレーム３０を構成するそれぞれの上下左右側フレーム３１，３２，３３，３４の外側面と前後面には適切な仕上げ処理をして閉空間Ｓを完全に密閉することによって、閉空間Ｓに外部の空気や湿気が進入するのを防止する。これにより、電動ブラインドの故障発生を防止できると同時に、閉空間Ｓに結露のような使用者の視野を妨げる物質が発生するのを防ぎ、視野を改善することができる。
【００２０】
そして、内部フレーム３０の上側フレーム３１には水平回転棒５１が内蔵される。この水平回転棒５１は、所定間隔に取り付けられる複数個のブラケット３１−１によって支持され、昇降調節ワイヤー４１と角度調節ワイヤー４２は、ブラケット３１−１を通過してスラット５０に連結される。
【００２１】
また、内部フレーム３０の左側フレーム３３の上部には支持ローラ３３−１が内蔵され、第１昇降調節手段６０とブラケット３１−１との間に位置する昇降調節ワイヤー４１の一部分を支持する。
【００２２】
スラット５０は、内部フレーム３０とガラス４０とによって形成される閉空間Ｓに上下方向に複数枚が配置され、昇降調節ワイヤー４１によって昇降すると共に、内部フレーム３０の上側フレーム３１に内蔵される水平回転棒５１に巻回された角度調節ワイヤー４２によって角度調節される。
【００２３】
昇降調節ワイヤー４１は、それぞれのスラット５０に形成された貫通孔５０ａに連続して挿通されてスラット５０を昇降させ、角度調節ワイヤー４２は、梯子形態で構成され、これにより形成されるそれぞれの空間にスラット５０が挿入される。
【００２４】
第１昇降調節手段６０は、内部フレーム３０の前面に設置されたガラス４０に臨んで磁石６１ａが配置された第１昇降磁性体６１と、第１昇降磁性体６１の上側に設けられ、昇降調節ワイヤー４１が巻かれて回転するローラ６２ａが取り付けられた昇降ボディー６２と、昇降調節ワイヤー４１の先端が固定されるワイヤー固定爪６３とで構成される。
【００２５】
第１昇降磁性体６１は、強力な磁力を持つ複数個の磁石６１ａが合成樹脂で製作された枠にはめ込まれて構成される。
【００２６】
昇降ボディー６２は、内部にローラ６２ａが回転可能に取り付けられ、このローラ６２ａに昇降調節ワイヤー４１が通り、ローラ６２ａを通った昇降調節ワイヤー４１は、内部フレーム３０の左側フレーム３３に設けられたワイヤー固定爪６３にその先端が固定される。
【００２７】
一方、第１昇降調節手段６０は、ガラス４０上での移動を円滑にする他、移動中にガラス４０を傷つけるのを防止するために、ガラス４０との接触面に輪６０ａを備える。
【００２８】
第２昇降調節手段７０は、外部フレーム２０の左側フレーム２３の内部に上下方向に設けられたスクリューシャフト７１と、スクリューシャフト７１の下端に設置され、制御部１０の信号によって正逆回転する昇降モーター７２と、スクリューシャフト７１の外周面を取り囲むように設けられ、昇降モーター７２の正逆回転によってスクリューシャフト７１の外周面上を昇降する昇降ナット７３と、昇降ナット７３の外側面から内部フレーム３０の左側フレーム３３の方に延設される連結部７４と、連結部７４と連結され、内部フレーム３０の前面に設置されたガラス４０の上面で昇降しながら第１昇降磁性体６１を磁力によって昇降させる第２昇降磁性体７５とで構成される。
【００２９】
スクリューシャフト７１は、外周面にスクリューが形成され、一端は、昇降モーター７２と連結され、他端は、外部フレーム２０の左側フレーム２３の内部に回転可能に固定される。
【００３０】
昇降モーター７２は、制御部１０から供給される信号によって作動または停止すると共に、正回転または逆回転してスクリューシャフト７１を正逆回転させる。
【００３１】
昇降ナット７３は、スクリューシャフト７１が正回転すると上昇し、逆回転すると下降する構造、またはその反対の構造とし、昇降モーター７２の水平方向回転力を上下方向に移動可能に切り替え、このような上下方向移動は連結部７４を通じて第２昇降磁性体７５に伝達される。
【００３２】
第２昇降磁性体７５は、第１昇降磁性体６１と同様、強力な磁力を持つ複数個の磁石７５ａが合成樹脂で製作された枠にはめ込まれてなるもので、第１昇降磁性体６１に設けられた磁石６１ａと強い引力が作用し、第１昇降磁性体６１との間に内部フレーム３０の上面及びガラス４０が配置されていても、磁力によって互いに強く結合される。
【００３３】
一方、第２昇降調節手段７０は、第１昇降調節手段６０と同様に、ガラス４０の上で移動する時にその移動を円滑にし、かつ、移動中にガラス４０を傷つけるのを防止するために、ガラス４０との接触面に輪７０ａを備える。
【００３４】
上記のように構成される第１昇降調節手段６０及び第２昇降調節手段７０の駆動過程について簡単に説明すると、下記の通りである。
【００３５】
制御部１０から信号が昇降モーター７２に供給されると昇降モーター７２が回転し、これにより、スクリューシャフト７１は、外部フレーム２０の左側フレーム２３の内部で回転し、このようなスクリューシャフト７１の回転力によって昇降ナット７３が上下方向に動くと同時に、連結部７４が外部フレーム２０の左側フレーム２３に形成されたレール２３ａに沿って上下に昇降し、この連結部７４に連結されている第２昇降磁性体７５が磁力によって連結された第１昇降磁性体６１を昇降させる。これにより、昇降調節ワイヤー４１が昇降ボディー６２のローラ６２ａの外周面をスライディングしながらスラット５０が上下に移動する。
【００３６】
第１角度調節手段８０は、水平回転棒５１と連結された垂直回転棒８１と、垂直回転棒８１の外周面の一側を包み、垂直回転棒８１と同一に回転し、外周面にガイド溝８２ａが形成された回転ドラム８２と、内部フレーム３０の右側フレーム３４の内部に設置され、垂直回転棒８１が挿貫し、回転ドラム８２の上端と下端にそれぞれ設置されて回転ドラム８２の位置を固定する上下部固定爪８３，８４と、回転ドラム８２の外周面に取り付けられ、内部フレーム３０の前面に設置されたガラス４０に臨んで磁石８５ａが配置され、回転ドラム８２のガイド溝８２ａに沿って移動する突起（図示せず）が内部に形成されて回転ドラム８２の外周面を昇降する第１角度調節磁性体８５とで構成される。
【００３７】
垂直回転棒８１は鉄製とし、一端が水平回転棒５１に連結される。水平回転棒５１の一端についてより詳細に説明すると、内部フレーム３０の右側フレーム３４に隣接した水平回転棒５１の右端にはベベルギア５１ａが形成され、垂直回転棒８１の上端には、水平回転棒５１のベベルギア５１ａに噛み合って回転するベベルギア８１ａが形成され、これによって垂直回転棒８１の回転力が水平回転棒５１に伝達されて角度調節ワイヤー４２を動かし、スラット５０の角度を調節する。
【００３８】
上下部固定爪８３，８４は、回転ドラム８２の上下部にそれぞれ設けられるもので、回転ドラム８２の上端と下端にそれぞれ密着するように設けられて、回転ドラム８２が上下側に移動するのを防止し、垂直回転棒８１が挿通するように貫通孔が形成される。なお、垂直回転棒８１は、上下部固定爪８３，８４で回転可能なように設けられる。
【００３９】
第１角度調節磁性体８５は、強力な磁力を持つ複数個の磁石８５ａが合成樹脂製の枠にはめ込まれて構成される。
【００４０】
一方、第１角度調節手段８０は、ガラス４０上における移動を円滑にすると共に、移動中にガラス４０を傷つけないようにガラス４０との接触面に輪８０ａを備える。
【００４１】
第２角度調節手段９０は、外部フレーム２０の右側フレーム２４の内部に設けられたスクリューシャフト９１と、スクリューシャフト９１の下端に設置されて制御部１０の信号によって正逆回転する角度調節モーター９２と、スクリューシャフト９１の外周面を取り囲むように設けられ、角度調節モーター９２の正逆回転によってスクリューシャフト９１の外周面上を昇降する角度調節ナット９３と、角度調節ナット９３の外側面から内部フレーム３０の右側フレーム３４の方に延設された連結部９４と、連結部９４と連結され、内部フレーム３０の前に設置されたガラス４０の上面で昇降しながら第１角度調節磁性体８５を磁力によって昇降させる第２角度調節磁性体９５とで構成される。
【００４２】
スクリューシャフト９１は、外周面にスクリューが形成され、一端は、角度調節モーター９２と連結され、他端は、外部フレーム２０の右側フレーム２４の内部に回転可能に固定される。ここで、第２角度調節手段９０のスクリューシャフト９１は、第２昇降調節手段７０のスクリューシャフト７１よりも短く形成される。これは、スラット５０の角度を調節するには、第２角度調節磁性体９５が第２昇降磁性体７５に比べて上下に短い距離を動けば足りるためである。
【００４３】
角度調節モーター９２は、制御部１０から供給される信号によって作動または停止する他、正回転または逆回転することによって、スクリューシャフト９１を正逆回転させる。
【００４４】
角度調節ナット９３は、スクリューシャフト９１が正回転すると上昇し、逆回転すると下降する構造、またはその逆の構造とし、角度調節モーター９２の水平方向回転力を上下方向に移動可能に切り替え、このような上下方向移動は連結部９４を通じて第２角度調節磁性体９５に伝達される。
【００４５】
第２角度調節磁性体９５は、第１角度調節磁性体８５と同様に、強力な磁力を持つ複数個の磁石９５ａが、合成樹脂製の枠にはめ込まれてなるもので、第１角度調節磁性体８５に設けられた磁石８５ａと強い引力が作用し、第１角度調節磁性体８５との間に内部フレーム３０の上面及びガラス４０が配置されていても、磁力によって互いに強く結合される。
【００４６】
一方、第２角度調節手段９０は、第１角度調節手段８０と同様に、ガラス４０上での移動を円滑にすると共に移動中にガラス４０を傷つけないように、ガラス４０との接触面に輪９０ａを備える。
【００４７】
上記のように構成される第１角度調節手段８０及び第２角度調節手段９０の駆動過程について簡単に説明すると、下記の通りである。
【００４８】
制御部１０から信号が角度調節モーター９２に供給されると角度調節モーター９２が回転することによって、スクリューシャフト９１は内部フレーム３０の右側フレーム３４の内部で回転し、このスクリューシャフト９１の回転力によって角度調節ナット９３が上下方向に動くと同時に、連結部９４は外部フレーム２０の右側フレーム２４に形成されたレール２４ａに沿って上下に昇降し、連結部９４に連結されている第２角度調節磁性体９５が、磁力によって連結された第１角度調節磁性体８５を昇降させる。
【００４９】
一方、外部フレーム２０の左側フレーム２３の内部には、昇降ナット７３の上限点と下限点を感知する上限センサー２３−１と下限センサー２４−１が取り付けられ、スラット５０が閉空間Ｓ内で最大限に上側へ上昇したり下側に下降することを感知し、このように感知された信号は制御部１０に伝送され、この伝送信号を受けると制御部１０は昇降モーター７２の正逆回転を停止させる。
【００５０】
そして、外部フレーム２０の右側フレーム２４の内部には、角度調節ナット９３の上限点と下限点を感知する上限センサー２４−１と下限センサー２４−２が取り付けられ、スラット５０の角度が最大値に回転して日光が十分に室内へ入射可能になったこと、または、スラット５０が外部の光を完全に遮断できる程度に元の状態に戻っていることを感知でき、このように感知された信号は制御部１０に伝送され、この伝送信号を受けると制御部１０は角度調節モーター９２の正逆回転を停止させる。
【００５１】
以上では図１〜図７を参照して本発明による複層ガラスに内蔵された電動ブラインドについて説明してきたが、これに本発明の電動ブラインドが限定されることはなく、図８〜図１０に示す実施例も可能である。
【００５２】
図８は、本発明の他の実施例による複層ガラスに内蔵された電動ブラインドを示す斜視図であり、図９は、図８に示す電動ブラインドの正断面図であり、図１０は図８に示す電動ブラインドの平断面図である。
【００５３】
図８〜図１０に示す電動ブラインドは、幾つかの差異点を除けば、図１〜図７に示す電動ブラインドと略同様に構成される。以下、図８〜図１０に示す電動ブラインドの構成要素を簡単に言及し、差異を中心にして説明する。
【００５４】
図８〜図１０に示す本発明による複層ガラスに内蔵された電動ブラインドは、制御部１０と、上下左右側フレーム２１，２２，２３，２４で構成され、制御部１０が内蔵される外部フレーム２０と、上下左右側フレーム３１，３２，３３，３４で構成され、外側面が外部フレーム２０の内側面に密着され、ガラス４０が前後面に設置されてガラス４０との間に閉空間Ｓを形成する内部フレーム３０と、閉空間Ｓに内蔵され、上下方向に複数枚が配置され、昇降調節ワイヤー４１によって昇降すると共に、内部フレーム３０に内蔵される水平回転棒５１に巻回された角度調節ワイヤー４２によって角度調節されるスラット５０と、内部フレーム３０の左側フレーム３３に内蔵され、昇降調節ワイヤー４１と連結される第１昇降調節手段６０と、外部フレーム２０の左側フレーム２３に内蔵され、制御部１０の信号によって昇降する第２昇降調節手段７０と、外部フレーム２０の左側フレーム２３の上面と、内部フレーム３０の前面に設置されたガラス４０の上面とにわたって配置され、第１昇降調節手段６０及び第２昇降調節手段７０と磁力によって連結されて第２昇降調節手段７０の昇降力を第１昇降調節手段６０に伝達し、第１昇降調節手段６０を昇降させる第３昇降調節手段１００と、内部フレーム３０の右側フレーム３４に内蔵され、水平回転棒５１と連結される第１角度調節手段８０と、外部フレーム２０の右側フレーム２４に内蔵され、制御部１０の信号によって昇降する第２角度調節手段９０と、外部フレーム２０の右側フレーム２４の上面と、内部フレーム３０の前面に設置されたガラス４０の上面とにわたって配置されて第１角度調節手段８０及び第２角度調節手段９０と磁力によって連結されて第２角度調節手段９０の昇降力を第１角度調節手段８０に伝達し、水平回転棒５１を回転させながらスラット５０の角度を調節する第３角度調節手段１１０とを含んで構成される。
【００５５】
第１昇降調節手段６０は、内部フレーム３０の前面に設置されたガラス４０に臨んで磁石６１ａが配置された第１昇降磁性体６１と、第１昇降磁性体６１の上側に設けられ、昇降調節ワイヤー４１が巻かれて回転するローラ６２ａが取り付けられた昇降ボディー６２と、昇降調節ワイヤー４１の先端が固定されるワイヤー固定爪６３とで構成される。
【００５６】
第２昇降調節手段７０は、外部フレーム２０の左側フレーム２３の内部に上下方向に設けられたスクリューシャフト７１と、スクリューシャフト７１の下端に設置されて、制御部１０の信号によって正逆回転する昇降モーター７２と、スクリューシャフト７１の外周面を取り囲むように設けられ、昇降モーター７２の正逆回転によってスクリューシャフト７１の外周面上を昇降する昇降ナット７３と、昇降ナット７３と一体として設けられて内部フレーム３０の左側フレーム３３の底面で昇降する第２昇降磁性体７５とで構成される。
【００５７】
第３昇降調節手段１００は、第１昇降磁性体６１及び第２昇降磁性体７５と磁力で連結可能なように、磁石１００ａが外部フレーム２０の左側フレーム２３の上面、及び内部フレーム３０の上面に設置されたガラス４０の上面に臨んで配置される。
【００５８】
第１角度調節手段８０は、水平回転棒５１と連結された垂直回転棒８１と、垂直回転棒８１の外周面の一側を包み、垂直回転棒８１と同一に回転し、外周面にガイド溝８２ａが形成された回転ドラム８２と、内部フレーム３０の右側フレーム３４の内部に設けられ、垂直回転棒８１が挿通し、回転ドラム８２の上端と下端にそれぞれ設けられた回転ドラム８２の位置を固定する上下部固定爪８３，８４と、回転ドラム８２の外周面に取り付けられ、内部フレーム３０の前面に設置されたガラス４０に臨んで磁石８５ａが配置され、回転ドラム８２のガイド溝８２ａに沿って移動する突起（図示せず）が内部に形成されて回転ドラム８２の外周面で昇降する第１角度調節磁性体８５とで構成される。
【００５９】
第２角度調節手段９０は、外部フレーム２０の右側フレーム２４の内部に設けられたスクリューシャフト９１と、スクリューシャフト９１の下端に設置されて、制御部１０の信号によって正逆回転する角度調節モーター９２と、スクリューシャフト９１の外周面を取り囲むように設けられ、角度調節モーター９２の正逆回転によってスクリューシャフト９１の外周面上を昇降する角度調節ナット９３と、角度調節ナット９３と一体として設けられて内部フレーム３０の右側フレーム３４の底面で昇降する第２角度調節磁性体９５とで構成される。
【００６０】
第３角度調節手段１１０は、第１角度調節磁性体８５及び第２角度調節磁性体９５と磁力で連結可能なように、磁石１１０ａが外部フレーム２０の右側フレーム２４上面、及び内部フレーム３０の上面に設置されたガラス４０の上面に臨んで配置される。
【００６１】
以下、図１〜図７に示す電動ブラインドと図８〜図１０に示す電動ブラインドとの差異点について説明する。まず、図１〜図７に示す電動ブラインドは、スラット５０を昇降させるために第１昇降磁性体６１の磁石６１ａと第２昇降磁性体７５の磁石７５ａとを相対向するようにして磁力で連結したが、図８〜図１０に示す電動ブラインドは、第２昇降調節手段７０を外部フレーム２０の左側フレーム２３に完全に内蔵させ、第１昇降磁性体６１の磁石６１ａと第２昇降磁性体７５の磁石７５ａを同一方向に向わせ、具体的には、第１昇降磁性体６１の磁石６１ａは、内部フレーム３０の左側フレーム３３の内部で内部フレーム３０の左側フレーム３３の上面に向くように設け、第２昇降磁性体７５の磁石７５ａは、外部フレーム２０の左側フレーム２３の内部で外部フレーム２０の左側フレーム２３の上面に向くように設ける。その後、第３昇降調節手段１００を外部フレーム２０の左側フレーム２３の上面と、内部フレーム３０の前面に設置されたガラス４０の上面とにわたって設け、この第３昇降調節手段１００を第１昇降調節手段６０及び第２昇降調節手段７０と磁力によって連結させる。このように磁力によって連結された第３昇降調節手段１００を用いて第２昇降調節手段７０の昇降力を第１昇降調節手段６０に伝達することによって第１昇降調節手段６０を上下に移動させ、スラット５０を昇降させる。
【００６２】
第３昇降調節手段１００は、強力な磁力を持つ複数個の磁石１００ａが合成樹脂製の枠にはめ込まれてなるもので、外部フレーム２０及びガラス４０上で移動する時にそれぞれの表面に傷がつくのを防止するために輪１００ｂを備える。ここで、第３昇降調節手段１００の磁石１００ａは、第１昇降磁性体６１の磁石６１ａ及び第２昇降磁性体７５の磁石７５ａと相対向するように配置し、引力によって互いに強く連結されるようにする。
【００６３】
そして、図１〜図７に示す電動ブラインドは、スラット５０を昇降させるために外部フレーム２０の左側フレーム２３の一側面にレール２３ａを形成し、このレール２３ａに沿って第２昇降調節手段７０の連結部７４が移動しつつ第１昇降調節手段６０を昇降させるが、図８〜図１０に示す電動ブラインドは、第３昇降調節手段１００によって第２昇降調節手段７０の昇降力が第１昇降調節手段６０に伝達されるので、図１〜図７に示すような第２昇降調節手段７０の連結部７４が省かれる他、レール２３ａが外部フレーム２０の左側フレーム２３に形成される必要もない。
【００６４】
また、図１〜図７に示す電動ブラインドは、スラット５０の角度を調節するために第１角度調節磁性体８５の磁石８５ａと第２角度調節磁性体９５の磁石９５ａを相対向させて磁力で連結したが、図８〜図１０に示す電動ブラインドは、第２角度調節手段９０を外部フレーム２０の右側フレーム２４に完全に内蔵させ、第１角度調節磁性体８５の磁石８５ａと第２角度調節磁性体９５の磁石９５ａを同一方向に向わせ、具体的には、第１角度調節磁性体８５の磁石は、内部フレーム３０の右側フレーム３４の内部において内部フレーム３０の右側フレーム３４の上面に向くように設け、第２角度調節磁性体９５の磁石９５ａは、外部フレーム２０の右側フレーム２４の内部において外部フレーム２０の右側フレーム２４の上面に向くように設ける。その後、第３角度調節手段１１０を、外部フレーム２０の右側フレーム２４上面と、内部フレーム３０の前面に設置されたガラス４０の上面とにわたって設け、第３角度調節手段１１０を第１角度調節手段８０及び第２角度調節手段９０と磁力によって連結させる。このように磁力によって連結された第３角度調節手段１１０を用いて第２角度調節手段９０の昇降力を第１角度調節手段８０に伝達することによって第１角度調節手段８０の垂直回転棒８１が回転して水平回転棒５１を回転させ、続いて水平回転棒５１に巻回された角度調節ワイヤー４２によってスラット５０の角度が調節されることとなる。
【００６５】
第３角度調節手段１１０は、強力な磁力を持つ複数個の磁石１１０ａが合成樹脂製の枠にはめ込まれてなるもので、外部フレーム２０とガラス４０上で移動する時にそれぞれの表面に傷がつくのを防止するために輪１００ｂを備える。ここで、第３角度調節手段１１０の磁石１１０ａは、第１角度調節磁性体８５の磁石８５ａ及び第２角度調節磁性体９５の磁石９５ａと相対向するように配置し、引力によって互いに強く連結させる。
【００６６】
そして、図１〜図７に示す電動ブラインドは、スラット５０の角度を調節するために、外部フレーム２０の右側フレーム２４の一側面にレール２４ａを形成し、レール２４ａに沿って第２角度調節手段９０の連結部９４が移動しつつ第１角度調節手段９０を昇降させたが、図８〜図１０に示す電動ブラインドは、第３角度調節手段１１０によって第２角度調節手段９０の昇降力が第１角度調節手段８０に伝達されるので、図１〜図７に示すような第２角度調節手段９０の連結部９４が省かれる他、レール２４ａが外部フレーム２０の右側フレーム２４に形成される必要もない。
【００６７】
上述した差異点を除けば、図８〜図１０に示す電動ブラインドは、図１〜図７に示す電動ブラインドと略同様に構成される。すなわち、外部フレーム２０の左側フレーム２３と右側フレーム２４の上面が開閉可能に構成される点、昇降ナット７３の上限点と下限点を感知するために外部フレーム２０の左側フレーム２３の内部に上限センサー２３−１と下限センサー２３−２が取り付けられる点、角度調節ナット９３の上限点と下限点を感知するために外部フレーム２０の右側フレーム２４の内部に上限センサー２４−１と下限センサー２４−２が取り付けられる点、水平回転棒５１と垂直回転棒８１がそれぞれのベベルギア５１ａ、８１ａによって連結される点などが、図１〜図７に示す電動ブラインドと図８〜図１０に示す電動ブラインドにおいて同一である。
【産業上の利用可能性】
【００６８】
本発明による複層ガラスに内蔵された電動ブラインドは、内部フレームとガラスとの間に形成された閉空間に外部の湿気や空気が侵入するのを完壁に防止できるので、内部フレームの前後面に設置されたガラス表面に結露のように視野を妨げるような物質が形成されるのを防止できる。
【符号の説明】
【００６９】
１０    制御部
２０    外部フレーム
３０    内部フレーム
４０    ガラス
４１    昇降調節ワイヤー
４２    角度調節ワイヤー
５０    スラット
５１    水平回転棒
６０    第１昇降調節手段
６１    第１昇降磁性体
６２    昇降ボディー
６３    ワイヤー固定爪
７０    第２昇降調節手段
７５    第２昇降磁性体
８０    第１角度調節手段
８１    垂直回転棒
８２    回転ドラム
８５    第１角度調節磁性体
９０    第２角度調節手段
９５    第２角度調節磁性体
１００    第３昇降調節手段
１１０    第４昇降調節手段
【図１】
2010529339.tif 000003
【図２】
2010529339.tif 000004
【図３】
2010529339.tif 000005
【図４】
2010529339.tif 000006
【図５】
2010529339.tif 000007
【図６】
2010529339.tif 000008
【図７】
2010529339.tif 000009
【図８】
2010529339.tif 000010
【図９】
2010529339.tif 000011
【図１０】
2010529339.tif 000012
【国際調査報告】
2010529339.tif 000013
2010529339.tif 000014